(57)【要約】【課題】装置本体を薄型化した場合にも、良好な放熱特性を得ることが可能でかつ照明ムラの発生も抑制できる、太陽電池パネルを備えた可搬型照明装置を提供する。【解決手段】可搬型照明装置１は、装置本体１０と、装置本体１０の正面に配置された太陽電池パネル２０と、装置本体１０に収容された蓄電池４０および照明ユニット５０と、シャーシ１０ｂとを備える。照明ユニット５０は、プリント配線板５１およびＬＥＤ５２を含んでおり、シャーシ１０ｂに組付けられている。シャーシ１０ｂは、太陽電池パネル２０と照明ユニット５０との間に位置する平板状の放熱部１１を含んでいる。プリント配線板５１は、放熱部１１の一方の主面に熱伝導部材を介して密着させた状態とされることで放熱部１１に熱接触しており、太陽電池パネル２０は、放熱部１１の他方の主面に接着層を介して接着されることでシャーシ１０ｂに固定されている。【選択図】図３
2011129452.tif 000002
【特許請求の範囲】
【請求項１】
正面および背面を有する装置本体と、
前記装置本体の前記正面に配置された太陽電池パネルと、
前記装置本体に収容され、前記太陽電池パネルで発電された電力を蓄電する蓄電池と、
前記装置本体に収容され、前記蓄電池から電力が供給されることで発光し、前記装置本体の前記背面から前記装置本体の外部に向けて光を照射する照明ユニットと、
前記照明ユニットが組付けられたシャーシとを備え、
前記照明ユニットは、光源と、当該光源を支持する支持部材とを含み、
前記シャーシは、前記太陽電池パネルと前記照明ユニットとの間に位置する平板状の放熱部を含み、
前記支持部材は、前記放熱部の一方の主面に熱伝導部材を介して密着させた状態とされることで前記放熱部に熱接触し、
前記太陽電池パネルは、前記放熱部の他方の主面に接着層を介して接着されることで前記シャーシに固定されている、照明装置。
【請求項２】
前記支持部材は、前記シャーシとの間に前記熱伝導部材を介在させた状態で締結手段によって固定されることで前記シャーシに組付けられている、請求項１に記載の照明装置。
【請求項３】
前記熱伝導部材が、絶縁性を有しており、
前記支持部材の前記シャーシに対向する主面に金属製のパターンが設けられており、
前記熱伝導部材に前記パターンが接触している、請求項１または２に記載の照明装置。
【請求項４】
前記熱伝導部材は、高熱伝導性を有するシート状の部材からなる、請求項１から３のいずれかに記載の照明装置。
【請求項５】
前記熱伝導部材は、高熱伝導性を有するグリスからなる、請求項１から３のいずれかに記載の照明装置。
【請求項６】
前記シャーシが、金属製の部材からなる、請求項１から５のいずれかに記載の照明装置。
【請求項７】
前記光源が、ＬＥＤであり、
前記支持部材が、プリント配線板である、請求項１から６のいずれかに記載の照明装置。
【請求項８】
前記放熱部は、前記照明ユニットにて生じた熱を放熱する機能と、前記太陽電池パネルを補強する機能とをあわせもっている、請求項１から７のいずれかに記載の照明装置。
【発明の詳細な説明】
【技術分野】
【０００１】
本発明は、太陽電池パネルを備えた照明装置に関し、より特定的には、太陽電池パネルを備えることで持ち運びが可能に構成された可搬型照明装置に関する。
【背景技術】
【０００２】
従来、太陽電池パネルを具備した可搬型照明装置としては、たとえば実用新案登録第３１０３９９４号公報（特許文献１）に開示のものがある。当該特許文献１に開示の可搬型照明装置は、トランク状の装置本体の正面および背面に太陽電池パネルおよびＬＥＤ（Light-Emitting Diode）照明灯を配置するとともに、装置本体の内部に蓄電池を配置し、装置本体に手提げホルダーやショルダー等を付設して可搬型としたものである。この特許文献１に開示の可搬型照明装置においては、太陽光を太陽電池パネルで受光することで蓄電池に電力が蓄電され、この蓄電池に蓄電された電力がＬＥＤ照明灯に供給されることで当該ＬＥＤ照明灯が周囲を照らすように動作する。
【０００３】
しかしながら、上記特許文献１に開示の可搬型照明装置は、装置本体がトランク状で大型に構成されているため、基本的に床面に載置されて使用されることが企図されたものと考えられる。そのため、照明装置としての機能は、未だ不十分であり、高所から付近を十分に照らすことができるようには構成されていない。また、上記特許文献１には、ＬＥＤ照明灯を装置本体から取り外して使用する使用態様も開示されているが、その場合には装置本体とＬＥＤ照明灯とがコードにて接続されることになり、必ずしも取扱い性がよいものとは言えない。
【０００４】
近年においては、太陽電池パネルの性能や蓄電池の性能の向上に伴い、装置本体をより小型かつ軽量に構成することが可能になってきている。ここで、可搬型照明装置においてその取扱い性を高めるためには、装置本体の薄型化が必須である。すなわち、装置本体を薄型に構成することができれば、携行がより容易になるばかりでなく、高所から付近を照らす場合等にもその使い勝手が非常に良好なものとなる。
【先行技術文献】
【特許文献】
【０００５】
【特許文献１】実用新案登録第３１０３９９４号公報
【発明の概要】
【発明が解決しようとする課題】
【０００６】
しかしながら、可搬型照明装置の装置本体を薄型化することを考慮した場合には、以下の２点の問題を解決することが必要になる。
【０００７】
第１に、可搬型照明装置において装置本体を薄型化した場合には、装置本体の内部の空間が狭小化することに伴い、ＬＥＤが動作することによって生じる熱がスムーズに放熱されず、装置本体の内部にこもり易くなるという問題が生じる。当該問題が生じた場合には、結果としてＬＥＤの寿命が短くなり、製品寿命を長く確保することが困難になってしまう。当該問題を解決するためには、ＬＥＤに印加する電流量を抑えることでＬＥＤの発熱量を低減することが考えられるが、そのように構成した場合には、規定の量の電流をＬＥＤに印加することができなくなるため、照明装置としての照明能力自体が低下してしまうことになる。
【０００８】
第２に、可搬型照明装置において装置本体を薄型化した場合には、装置本体から出射される照明にムラが発生してしまう問題が生じる。すなわち、点光源であるＬＥＤを用いてより広範囲にわたって均一な照射量を得ることができるようにするためには、ＬＥＤをアレイ状に配置するとともに、当該アレイ状に配置されたＬＥＤの出射方向に所定の距離をもって拡散板を配置することが必要になるが、装置本体を薄型化した場合には、ＬＥＤと拡散板との間の距離を十分に確保することができず、照明ムラが生じてしまうことになる。当該問題を解決するためには、ＬＥＤをより密に配置することや、太陽電池パネルとＬＥＤとの間の距離を詰めることが考えられるが、いずれの場合にも放熱性が悪化する原因となるため、そのまま当該構成を採用することはできない。
【０００９】
したがって、本発明は、上述した問題点を解決すべくなされたものであり、装置本体を薄型化した場合にも、良好な放熱特性を得ることが可能でかつ照明ムラの発生も抑制できる、太陽電池パネルを備えた照明装置を提供することを目的とする。
【課題を解決するための手段】
【００１０】
本発明に基づく照明装置は、装置本体と、太陽電池パネルと、蓄電池と、照明ユニットと、シャーシとを備えている。上記装置本体は、正面および背面を有しており、上記太陽電池パネルは、上記装置本体にの上記正面に配置されている。上記蓄電池は、上記装置本体に収容され、上記太陽電池パネルで発電された電力を蓄電する。上記照明ユニットは、上記装置本体に収容され、上記蓄電池から電力が供給されることで発光し、上記装置本体の上記背面から上記装置本体の外部に向けて光を照射する。上記シャーシには、上記照明ユニットが組付けられている。ここで、上記照明ユニットは、光源と、当該光源を支持する支持部材とを含んでおり、上記シャーシは、上記太陽電池パネルと上記照明ユニットとの間に位置する平板状の放熱部を含んでいる。上記支持部材は、上記放熱部の一方の主面に熱伝導部材を介して密着させた状態とされることで上記放熱部に熱接触しており、上記太陽電池パネルは、上記放熱部の他方の主面に接着層を介して接着されることで上記シャーシに固定されている。
【００１１】
上記本発明に基づく照明装置にあっては、上記支持部材が、上記シャーシとの間に上記熱伝導部材を介在させた状態で締結手段によって固定されることで上記シャーシに組付けられていることが好ましい。
【００１２】
上記本発明に基づく照明装置にあっては、上記熱伝導部材が、絶縁性を有していてもよく、その場合には、上記支持部材の上記シャーシに対向する主面に金属製のパターンが設けられるとともに、上記熱伝導部材に上記パターンが接触していることが好ましい。
【００１３】
上記本発明に基づく照明装置にあっては、上記熱伝導部材が、高熱伝導性を有するシート状の部材からなることが好ましい。
【００１４】
上記本発明に基づく照明装置にあっては、上記熱伝導部材が、高熱伝導性を有するグリスからなることが好ましい。
【００１５】
上記本発明に基づく照明装置にあっては、上記シャーシが、金属製の部材からなることが好ましい。
【００１６】
上記本発明に基づく照明装置にあっては、上記光源が、ＬＥＤであることが好ましく、その場合には、上記支持部材が、プリント配線板であることが好ましい。
【００１７】
上記本発明に基づく照明装置にあっては、上記放熱部が、上記照明ユニットにて生じた熱を放熱する機能と、上記太陽電池パネルを補強する機能とをあわせもっていることが好ましい。
【発明の効果】
【００１８】
本発明によれば、装置本体を薄型化した場合にも、良好な放熱特性を得ることが可能でかつ照明ムラの発生も抑制できる、太陽電池パネルを備えた照明装置とすることができる。
【図面の簡単な説明】
【００１９】
【図１】本発明の実施の形態における可搬型照明装置の正面図および右側面図である。
【図２】本発明の実施の形態における可搬型照明装置の背面図である。
【図３】本発明の実施の形態における可搬型照明装置の模式断面図である。
【図４】本発明の実施の形態における可搬型照明装置の機能ブロックを示す図である。
【図５】本発明の実施の形態における可搬型照明装置の要部拡大断面図である。
【図６】本発明の実施の形態における可搬型照明装置の組付け手順を示す模式図である。
【図７】本発明の実施の形態における可搬型照明装置の組付け手順を示す模式図である。
【発明を実施するための形態】
【００２０】
以下、本発明の一実施の形態について、図を参照して詳細に説明する。なお、以下に示す実施の形態における可搬型照明装置は、昼間において太陽光を受光することで充電を行い、夜間において屋内または野外において照明装置として使用されることが企図されたものであり、各種レジャー用や被災時用として使用されるのみならず、建設現場や工事現場での使用、家庭での日常の使用等にまでその利用範囲が見込めるように構成されたものである。
【００２１】
図１および図２は、本発明の実施の形態における可搬型照明装置の外観構造を示す図であり、図１（Ａ）は正面図、図１（Ｂ）は右側面図、図２は背面図である。また、図３は、本実施の形態における可搬型照明装置の内部構造を示す図であり、図１（Ａ）中に示すＩＩＩ−ＩＩＩ線に沿った模式断面図である。まず、これら図１ないし図３を参照して、本実施の形態における可搬型照明装置の構造について説明する。
【００２２】
図１ないし図３に示すように、本実施の形態における可搬型照明装置１は、箱状に形成された装置本体１０を備えている。装置本体１０は、持ち運びが容易となるように小型化、薄型化および軽量化が十分に図られている。なお、装置本体１０としては、より小型かつ薄型で軽量であることが好ましいが、性能の観点や持ち運びの容易さの観点から、その外形は、おおよそ高さ２５ｃｍ〜３０ｃｍ程度、幅３５ｃｍ〜４０ｃｍ程度、奥行き５ｃｍ〜１０ｃｍ程度とされ、その重量は、おおよそ２．５〜３．０ｋｇ程度とされる。
【００２３】
装置本体１０は、枠状に構成されることで装置本体１０の上面、下面、右側面および左側面を構成するフレーム１０ａと、当該フレーム１０ａに取付けられたシャーシ１０ｂおよび回動部材１２とを含んでいる。このうち、フレーム１０ａおよび回動部材１２は、耐候性および剛性に優れた比較的軽量の部材にて構成されることが好ましい。当該観点から、フレーム１０ａおよび回動部材１２は、たとえばアルミニウム合金やステンレス合金等の金属製の部材や、アクリロニトリルブタジエンスチレン（ＡＢＳ）等の樹脂製の部材にて構成される。一方、シャーシ１０ｂは、後述する放熱性の観点から、好適には、たとえばアルミニウム合金やステンレス合金等の金属製の部材にて構成される。
【００２４】
回動部材１２は、一対のヒンジ１３によってフレーム１０ａに回動自在に取付けられている。より詳細には、一対のヒンジ１３は、それぞれが装置本体１０の左右の側面の略中央部に位置しており、この部分において回動部材１２の端部を回動自在に支持している。これにより、回動部材１２の回動軸は、装置本体１０の正面と平行に配置されることになり、回動部材１２は、図１（Ｂ）に示すように矢印Ａ１およびＡ２方向に向けて装置本体１０回りに回動することになる。なお、回動部材１２は、その回動範囲内の所定位置または任意の位置において、ロックされるように構成されていることが好ましい。
【００２５】
シャーシ１０ｂは、たとえば金属製の平板状の部材をプレス加工等することによって所定の形状に成形されており、その一部に放熱部１１を含んでいる。放熱部１１は、後述する太陽電池パネル２０と照明ユニット５０との間に位置しており、主として照明ユニット５０にて発生する熱を効率的に放熱するための部位であるとともに、脆弱な太陽電池パネル２０を補強するための部位でもある。なお、シャーシ１０ｂは、フレーム１０ａにたとえば溶接やビス留め等にて固定されている。
【００２６】
装置本体１０の正面には、太陽光を受光することで発電する太陽電池パネル２０が配置されている。太陽電池パネル２０は、光電変換部を含む太陽電池２１と、太陽電池２１の前方に位置し、当該太陽電池２１を覆う透光性基板２２とを主として含んでいる。好適には、太陽電池２１としては、単結晶型や多結晶型あるいは非晶質型等のシリコン系太陽電池や化合物系太陽電池等が使用される。ここで、太陽電池２１としては、複数の太陽電池セルが電気的に接続されてなる太陽電池集積体にて構成されていてもよい。透光性基板２２は、太陽電池２１の破損を防止する観点から設けられるものであり、光透過率や耐候性、耐衝撃性、耐水性等に優れたアクリロニトリルエチレンスチレン（ＡＥＳ）、アクリロニトリルブタジエンスチレン（ＡＢＳ）、ポリカーボネイト（ＰＣ）等の樹脂部材にて構成されることが好適である。なお、当該透光性基板２２の厚みとしては、強度および光透過率の観点から、１ｍｍ以上５ｍｍ以下とされることが好ましい。
【００２７】
太陽電池パネル２０は、シャーシ１０ｂの前面を覆うようにフレーム１０ａおよびシャーシ１０ｂに固定されている。ここで、太陽電池パネル２０は、上述したシャーシ１０ｂの放熱部１１に対向して配置されており、当該放熱部１１に接合されている。太陽電池パネル２０のフレーム１０ａへの固定には、貼着や接着、嵌め込み、ビス留め等が好適に利用される。なお、太陽電池パネル２０のシャーシ１０ｂへの接合構造の詳細については、後述することとする。
【００２８】
一方、装置本体１０の背面には、後述する照明ユニット５０から照射される光の放射強度を均一化する拡散板としてのカバーレンズ１４が配置されている。より詳細には、カバーレンズ１４は、シャーシ１０ｂの後面と距離をもって配置されており、フレーム１０ａに固定されることで装置本体１０の背面において露出している。なお、カバーレンズ１４としては、軽量化の観点から、透光性の樹脂材料を原料とした射出成形品が利用されることが好ましい。また、カバーレンズ１４のフレーム１０ａへの固定には、接着や嵌め込み、ビス留め等が好適に利用される。
【００２９】
装置本体１０の内部の空間には、太陽電池パネル２０で発電された電力を蓄電する蓄電池４０と、蓄電池４０から電力が供給されることで発光する照明ユニット５０と、当該可搬型照明装置１の全体を制御する制御部３１（図４参照）を含むコントロールユニット３０とが配置されている。
【００３０】
コントロールユニット３０は、装置本体１０の内部の空間のうちの上部に配置されており、シャーシ１０ｂの上部部分にたとえばビス留め等によって固定されている。コントロールユニット３０は、箱状のケースと、箱状のケースによって覆われたプリント配線板とを含んでおり、このうちのプリント配線板に上述した制御部３１や後述する各種回路３２，３３等が設けられている。
【００３１】
蓄電池４０は、装置本体１０の内部の空間のうちの下部に配置されており、シャーシ１０ｂの下部部分にたとえばビス留め等によって固定されている。蓄電池４０としては、たとえばリチウムイオン電池やニッケル水素電池、ニッケルカドミウム電池、鉛電池等が利用可能である。
【００３２】
照明ユニット５０は、装置本体１０の内部の空間のうちの略中央部に配置されており、シャーシ１０ｂに組付けられている。照明ユニット５０は、支持部材としてのプリント配線板５１と、当該プリント配線板５１の表面に実装された光源としてのＬＥＤ５２とを含んでいる。プリント配線板５１としては、好適にはガラス繊維を含有するエポキシ樹脂製の平板（いわゆるガラスエポキシ基板）が好適に利用される。ＬＥＤ５２としては、半導体発光素子であるＬＥＤ素子と、当該ＬＥＤ素子を封止する透光性の封止樹脂と、外部の電極に電気的に接続する電極とを備えた表面実装型のＬＥＤが好適に利用される。ＬＥＤ５２は、上述したプリント配線板５１の表面にたとえばアレイ状に複数個実装されている。
【００３３】
ここで、照明ユニット５０は、上述したシャーシ１０ｂの放熱部１１に対向して配置されており、当該放熱部１１に熱接触するように当該放熱部１１に組付けられている。具体的には、プリント配線板５１のＬＥＤ５２が実装された方の主面がカバーレンズ１４側を向くこととなるように、照明ユニット５０が図示しない締結手段によってシャーシ１０ｂに固定されている。なお、照明ユニット５０のシャーシ１０ｂへの組付け構造の詳細については、後述することとする。
【００３４】
ＬＥＤ５２から出射された光は、装置本体１０の背面に配置されたカバーレンズ１４を介して装置本体１０の外部に向けて照射される。ここで、上述したように、プリント配線板５１の表面には、複数個のＬＥＤ５２がアレイ状に配置されているため、照明ユニット５０は、全体として面光源として機能することになり、その照明範囲が広範囲に確保されることになる。なお、ＬＥＤ５２としては、好適に白色発光ダイオードが使用される。
【００３５】
装置本体１０の右側面には、照明ユニット５０の動作を切り替えることを可能にする操作部１５と、当該可搬型照明装置１の動作状態等を表示する表示部１６が設けられている。操作部１５は、たとえば押しボタン等によって構成され、表示部１６は、たとえばＬＥＤ等によって構成される。表示部１６は、可搬型照明装置１が充電状態にあるか否かを表示するための充電状態表示部や蓄電池４０の残量の状態を表示するための残量表示部を含んでいることが好ましい。
【００３６】
なお、装置本体１０の内部の空間には、遮光シートが配置されていてもよい。当該遮光シートは、カバーレンズ１４の前方であってかつシャーシ１０ｂの後方に配置されることが好ましく、照明ユニット５０の背面側を除く部分に配置され、照明ユニット５０が設けられた部分を除く装置本体１０の内部の構成がカバーレンズ１４を介して視認できないように目隠しするためのものである。
【００３７】
図４は、本実施の形態における可搬型照明装置の機能ブロックの構成を示す図である。次に、この図４を参照して、本実施の形態における可搬型照明装置の機能ブロックの構成について説明する。
【００３８】
図４に示すように、本実施の形態における可搬型照明装置１は、上述した太陽電池パネル２０、蓄電池４０、照明ユニット５０、制御部３１、操作部１５および表示部１６に加え、充電回路３２および放電回路３３を備えている。
【００３９】
充電回路３２は、太陽電池パネル２０で発電された電力を制御部３１の指令に基づいて蓄電池４０に充電するための回路である。より詳細には、充電回路３２は、太陽電池パネル２０の発電電圧が一定値以上に達した場合に当該発電された電力を蓄電池４０に送ることで蓄電池４０の充電を行い、太陽電池パネル２０の発電電圧が上記一定値未満となった場合に蓄電池４０の充電を停止する。また、充電回路３２は、蓄電池４０が満充電された場合に蓄電池４０の過充電を防止すべく蓄電池４０の充電を停止し、蓄電池４０の電圧が一定値以下になった場合に蓄電池４０の充電の停止を解除して充電を再開する。また、充電回路３２は、太陽電池パネル２０から蓄電池４０に送られる電力が過電流状態となることを防止する過電流保護回路や、蓄電池４０から太陽電池パネル２０への電流の逆流を防止する逆流防止回路等を含んでいてもよい。
【００４０】
放電回路３３は、蓄電池４０に蓄電された電力を制御部３１の指令に基づいて照明ユニット５０に供給するための回路である。より詳細には、放電回路３３は、蓄電池４０の電圧が一定値以上である場合に制御部３１の指令に基づいて蓄電池４０に蓄電された電力を照明ユニット５０に供給し、蓄電池４０の電圧が一定値未満である場合に過放電を防止すべく照明ユニット５０に対する蓄電池４０からの電力の供給を停止する。
【００４１】
操作部１５は、上述しように照明ユニット５０の動作を切り替えるための部位であり、具体的には、ユーザが操作部１５を操作した場合にこれを制御部３１に出力する。表示部１６は、上述したように可搬型照明装置１が充電状態にあるか否かや蓄電池４０の残量の状態を表示するための部位であり、たとえば可搬型照明装置１が充電状態にあるか否かを点灯／非点灯で表示し、蓄電池４０の残量をその残量に応じた点灯数にて表示する。
【００４２】
また、制御部３１は、上述したように可搬型照明装置１の全体を制御する部位であり、太陽電池パネル２０からの発電電圧の情報や蓄電池４０からの蓄電された電力の残量の情報、操作部１５からのユーザの操作の有無の情報等の入力を受け、これに基づいて充電回路３２や放電回路３３、照明ユニット５０の動作の制御を行なう。
【００４３】
図５は、本実施の形態における可搬型照明装置の放熱部近傍の組付け構造を示す図であり、図３中に示す領域Ｖの要部拡大断面図である。また、図６および図７は、図５に示す放熱部近傍の組付け構造を実現するための具体的な組付け手順の一例を示す模式図である。次に、これら図５ないし図７を参照して、本実施の形態における可搬型照明装置の放熱部近傍の組付け構造および組付け手順について詳説する。
【００４４】
図５に示すように、シャーシ１０ｂの所定位置に設けられた放熱部１１は、平板状の形状を有しており、その一方の主面に熱伝導部材としての熱伝導層６２を介して照明ユニット５０のプリント配線板５１が熱接触するように組付けられており、その他方の主面に接着層６１を介して太陽電池パネル２０が接着されている。
【００４５】
より詳細には、放熱部１１の一方の主面上には、熱伝導層６２が位置しており、当該熱伝導層６２上に照明ユニット５０のプリント配線板５１が位置している。熱伝導層６２は、照明ユニット５０にて発生する熱を放熱部１１に伝熱するためのものであり、たとえば高熱伝導性を有するシート状の部材やグリスからなる。ここで、高熱伝導性を有するシート状部材としては、好適にはたとえばポリフェニレンサルファイド樹脂製のシートが挙げられ、高熱伝導性を有するグリスとしては、好適にはたとえば高熱伝導性を有する粒子が添加されたシリコーングリス等が挙げられる。なお、プリント配線板５１としては、熱伝導性を良好にするために、肉厚を薄く構成しておくことが好ましい。
【００４６】
一方、放熱部１１の他方の主面上には、接着層６１が位置しており、当該接着層６１上に太陽電池パネル２０の太陽電池２１が位置している。接着層６１は、太陽電池パネル２０を放熱部１１に固定するためのものであり、好適にはたとえばエポキシ樹脂系の接着剤やアクリル樹脂系の接着剤が挙げられる。ここで、放熱部１１および接着層６１は、主として脆弱な太陽電池パネル２０の強度を補強するための補強部材に相当し、太陽電池パネル２０が接着層６１を介して放熱部１１に固定されることで太陽電池パネル２０の機械的な強度が増すことになる。なお、接着剤として上述したエポキシ樹脂系の接着剤やアクリル樹脂系の接着剤を使用した場合には、当該接着剤が他の接着剤に比べて比較的熱伝導性に優れているため、太陽電池パネル２０にて発生した熱を放熱部１１に効率的に伝熱させることもでき、その結果、太陽電池パネル２０にて発生した熱を放熱部１１にて効率的に放熱させることも可能になる。また、太陽電池パネル２０は、上述した太陽電池２１および透光性基板２２に加え、これらの間に充填されることでこれらを接着する充填層２３を備えている。充填層２３としては、エチレンビニルアセテート共重合体（ＥＶＡ）やポリビニルブチラール（ＰＶＢ）等を主成分とする熱可塑性の合成樹脂材料が好適に用いられる。
【００４７】
一般に、太陽電池２１の前面（受光面）とは反対側の後面（非受光面）には、エチレン／酢酸ビニル共重合体等の封止樹脂を介してポリフッ化ビニルフィルム等のフッ素系樹脂フィルムやポリエチレンテレフタラート（ＰＥＴ）フィルム等の有機系フィルムからなる保護フィルムが設けられている場合が多く、その場合には、当該保護フィルムと放熱部１１とが接着層６１を介して接着されることになる。
【００４８】
これにより、本実施の形態における可搬型照明装置１においては、照明ユニット５０にて発生した熱（すなわちＬＥＤ５２が駆動することで生じる熱）が熱伝導層６２を介してシャーシ１０ｂの放熱部１１に伝熱されることになるとともに、太陽電池パネル２０が接着層６１を介してシャーシ１０ｂの放熱部１１に固定されることで太陽電池パネル２０の強度が増すことになる。また、特に結晶系の太陽電池が組み込まれた太陽電池パネルを使用した場合には、太陽電池パネル２０にて発生した熱（すなわち太陽光を受光することで生じる熱）が接着層６１を介してシャーシ１０ｂの放熱部１１に伝熱されることで太陽電池パネル２０の冷却が行なわれ、結果的に発電効率が高まるという効果も得られる。したがって、効率的に照明ユニット５０を冷却することが可能になるとともに、脆弱な太陽電池パネル２０の補強を行なうことが可能になる。なお、上述したように、放熱部１１は、金属製の部材にて構成されていることが好ましく、放熱性、補強性（剛性）および軽量化の観点から、特にアルミニウム合金にて構成されていることが好ましい。
【００４９】
ここで、照明ユニット５０のシャーシ１０ｂに対する固定は、ビス留め等を利用することが好適である。その場合には、プリント配線板５１の周縁部にビス留め部を設けることにより、熱伝導層６２としてのシート状の部材やグリスを介した状態でプリント配線板５１とシャーシ１０ｂとを密着させた状態とすることができる。したがって、当該ビス留め時にトルク管理等を行なうことにより、確実に放熱性の向上を図ることができる。
【００５０】
上記組付け構造を実現するためには、まず、図６に示すように、太陽電池パネル２０の後面の所定位置に接着剤６１を塗布し、これにシャーシ１０ｂの放熱部１１を押し当て、当該押し当てた状態を維持しつつ接着剤６１の硬化処理を行なう。その後、図７に示すように、熱伝導層６２としてのシート状の部材をシャーシ１０ｂの放熱部に載置し、その上から照明ユニット５０を押し当て、当該状態を維持しつつ上述した締結手段（図示せず）によって照明ユニット５０をシャーシ１０ｂに固定する。これにより、熱伝導層６２としてのシート状の部材は適切に圧縮されて照明ユニット５０のプリント配線板５１および放熱部１１に密着することになり、図５に示す組付け構造が実現されることになる。
【００５１】
なお、上記においては、熱伝導層６２としてシート状の部材を用いた場合を説明したが、熱伝導層６２としてグリスを用いる場合には、図６に示す手順を経た後に、シャーシ１０ｂの放熱部１１の露出面にグリスを塗布し、当該グリスが塗布された放熱部１１上に照明ユニット５０を押し当て、当該状態を維持しつつ上述した締結手段（図示せず）によって照明ユニット５０をシャーシ１０ｂに固定する。なお、その際には、熱伝導層６２の厚みが均一化するように、グリスが放熱部１１の全面に行き渡るようにする。
【００５２】
以上において説明した本実施の形態における可搬型照明装置１とすることにより、装置本体１０の内部に配置したシャーシ１０ｂに、照明ユニット５０の放熱部としての機能と太陽電池パネル２０を補強する機能とを合わせもたせることが可能になるとともに、加えて場合によっては、太陽電池パネル２０の放熱部として機能を合わせもたせることが可能になる。そのため、照明ユニット５０を組付けるためのシャーシと、太陽電池パネル２０を補強するためのシャーシとを別々に設ける必要がなり、装置本体１０の薄型化が可能になる。また、太陽電池パネル２０に近接して照明ユニット５０を配置することが可能となるため、装置本体１０の薄型化を図った上で、照明ユニット５０と拡散板としてのカバーレンズ１４との間の距離も十分に確保することができる。したがって、装置本体１０を薄型化した場合にも、良好な放熱特性を得ることが可能でかつ照明ムラの発生も抑制できる、太陽電池パネルを備えた照明装置とすることができる。
【００５３】
なお、照明ユニット５０にて発生する熱をより効率的に放熱部１１に伝熱するためには、プリント配線板５１のＬＥＤ５２が実装されない側の主面に金属製のパターンを形成しておくことが好ましい。その場合には、プリント配線板５１を貫通するスルーホールを設、ＬＥＤ５２が実装される側の主面に設けられた金属製の配線パターンと上記ＬＥＤ５２が実装されない側の主面に設けられた金属製のパターンとを当該スルーホールを用いて接続するように構成すればなおよい。ただし、その場合には、プリント配線板５１とシャーシ１０ｂとの絶縁性を確保することが必要となるため、熱伝導部材としての熱伝導層６２は、絶縁性であることが必要である。
【００５４】
今回開示した上記各実施の形態はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【００５５】
１  可搬型照明装置、１０  装置本体、１０ａ  フレーム、１０ｂ  シャーシ、１１  放熱部、１２  回動部材、１３  ヒンジ、１４  カバーレンズ、１５  操作部、１６  表示部、２０  太陽電池パネル、２１  太陽電池、２２  透光性基板、２３  充填層、３０  コントロールユニット、３１  制御部、３２  充電回路、３３  放電回路、４０  蓄電池、５０  照明ユニット、５１  プリント配線板、５２  ＬＥＤ、６１  接着層（接着剤）、６２  熱伝導層。
【図１】
2011129452.tif 000003
【図２】
2011129452.tif 000004
【図３】
2011129452.tif 000005
【図４】
2011129452.tif 000006
【図５】
2011129452.tif 000007
【図６】
2011129452.tif 000008
【図７】
2011129452.tif 000009